(57)【要約】【課題】ネットワークの状況を容易に把握する。【解決手段】表示制御装置２０は、ネットワークに含まれる複数のノードの位置、及びネットワークのトポロジ情報に基いて、複数のノードのそれぞれに対応するオブジェクトを仮想的な３次元空間に配置する。また、表示制御装置２０の３次元空間に１つ以上の視点を設定する。また、表示制御装置２０は、３次元空間に配置されたオブジェクトを、視点のそれぞれから投影した複数の画像であって、トポロジ情報が可視化された複数の画像を生成する。また、表示装置１０の複数の表示面のそれぞれは、互いに異なる方向に向けられ、生成された複数の画像のいずれかを表示する。【選択図】図１
2019144279.tif 000002
【特許請求の範囲】
【請求項１】
複数の表示面を備えた表示装置と、前記表示装置を制御する表示制御装置と、を有する表示システムであって、
前記表示制御装置は、
ネットワークに含まれる複数のノードの位置、及び前記ネットワークのトポロジ情報に基いて、前記複数のノードのそれぞれに対応するオブジェクトを仮想的な３次元空間に配置する配置部と、
前記３次元空間に１つ以上の視点を設定する設定部と、
前記３次元空間に配置された前記オブジェクトを、前記視点のそれぞれから投影した複数の画像であって、前記トポロジ情報が可視化された複数の画像を生成する生成部と、
を有し、
前記複数の表示面のそれぞれは、互いに異なる方向に向けられ、前記生成部によって生成された前記複数の画像のいずれかを表示することを特徴とする表示システム。
【請求項２】
前記設定部は、前記３次元空間における所定の点を、所定の直線を回転軸として所定の角度ずつ回転させていった点を前記視点の位置として設定することを特徴とする請求項１に記載の表示システム。
【請求項３】
前記設定部は、前記視点の高さを、前記オブジェクトのうちの少なくともいずれかの位置より高く設定し、前記視点の方向を、前記オブジェクトのうちの少なくともいずれかを見下ろす方向に設定することを特徴とする請求項１又は２に記載の表示システム。
【請求項４】
前記生成部によって生成された画像に、追加の情報を重畳させる追加部をさらに有することを特徴とする請求項１から３のいずれか１項に記載の表示システム。
【請求項５】
ユーザの動きを示すデータの入力を受け付ける入力部をさらに有し、
前記設定部は、前記ユーザの動きを示すデータに基づいて、前記視点を変更し、
前記生成部は、前記設定部による前記視点の変更に応じて画像を生成することを特徴とする請求項１から４のいずれか１項に記載の表示システム。
【請求項６】
ネットワークに含まれる複数のノードの位置、及び前記ネットワークのトポロジ情報に基いて、前記複数のノードのそれぞれに対応するオブジェクトを仮想的な３次元空間に配置する配置部と、
前記３次元空間に１つ以上の視点を設定する設定部と、
前記３次元空間に配置された前記オブジェクトを、前記視点のそれぞれから投影した複数の画像であって、前記トポロジ情報が可視化された複数の画像を生成する生成部と、
表示装置に備えられた複数の表示面であって、互いに異なる方向に向けられた複数の表示面のそれぞれに、前記生成部によって生成された前記複数の画像のいずれかを表示させる表示制御部と、
を有することを特徴とする表示制御装置。
【請求項７】
それぞれが互いに異なる方向に向けられた複数の表示面を備えた表示装置と、前記表示装置を制御する表示制御装置と、を有する表示システムによって実行される表示制御方法であって、
前記表示制御装置が、ネットワークに含まれる複数のノードの位置、及び前記ネットワークのトポロジ情報に基いて、前記複数のノードのそれぞれに対応するオブジェクトを仮想的な３次元空間に配置する配置工程と、
前記表示制御装置が、前記３次元空間に１つ以上の視点を設定する設定工程と、
前記表示制御装置が、前記３次元空間に配置された前記オブジェクトを、前記視点のそれぞれから投影した複数の画像であって、前記トポロジ情報が可視化された複数の画像を生成する生成工程と、
前記表示制御装置が、前記生成工程によって生成された前記複数の画像のいずれかを表示する表示工程と、
を含むことを特徴とする表示方法。
【請求項８】
コンピュータを、請求項６に記載の表示制御装置として機能させるための表示制御プログラム。
【発明の詳細な説明】
【技術分野】
【０００１】
本発明は、表示システム、表示制御装置、表示方法及び表示制御プログラムに関する。
【背景技術】
【０００２】
ネットワークの故障に対し迅速な対応を行うためには、ネットワークの状況を素早く把握することが重要である。そこで、従来、ネットワークの状況を把握するための技術として、ネットワークトポロジを立体的に表現した画像を生成する技術が提案されている。
【先行技術文献】
【特許文献】
【０００３】
【特許文献１】特開２０１５−１５８７６６号公報
【発明の概要】
【発明が解決しようとする課題】
【０００４】
しかしながら、従来の技術には、ネットワークの状況を容易に把握することが困難な場合があるという問題がある。例えば、従来の技術では、ネットワークトポロジを立体的に表現した画像がディスプレイに表示される。このとき、同時に表示される画像が１枚のみである場合、１つの視点からの投影画像のみが表示されることになるため、死角が生じることが考えられる。また、ディスプレイが１台のみである場合、複数人で画面を見ることが難しくなることが考えられる。
【課題を解決するための手段】
【０００５】
上述した課題を解決し、目的を達成するために、本発明の表示システムは、複数の表示面を備えた表示装置と、前記表示装置を制御する表示制御装置と、を有する表示システムであって、前記表示制御装置は、ネットワークに含まれる複数のノードの位置、及び前記ネットワークのトポロジ情報に基いて、前記複数のノードのそれぞれに対応するオブジェクトを仮想的な３次元空間に配置する配置部と、前記３次元空間に１つ以上の視点を設定する設定部と、前記３次元空間に配置された前記オブジェクトを、前記視点のそれぞれから投影した複数の画像であって、前記トポロジ情報が可視化された複数の画像を生成する生成部と、を有し、前記複数の表示面それぞれは、互いに異なる方向に向けられ、前記生成部によって生成された前記複数の画像のいずれかを表示することを特徴とする。
【発明の効果】
【０００６】
本発明によれば、ネットワークの状況を容易に把握できる。
【図面の簡単な説明】
【０００７】
【図１】図１は、第１の実施形態に係る表示システムの構成の一例を示す図である。
【図２】図２は、第１の実施形態に係る表示装置について説明するための図である。
【図３】図３は、第１の実施形態に係るネットワーク情報のデータ構成の一例を示す図である。
【図４】図４は、第１の実施形態に係る追加情報のデータ構成の一例を示す図である。
【図５】図５は、第１の実施形態に係る３次元空間へのオブジェクトの配置について説明するための図である。
【図６】図６は、第１の実施形態に係る視点について説明するための図である。
【図７】図７は、第１の実施形態に係る画像について説明するための図である。
【図８】図８は、第１の実施形態に係る表示システムの処理の流れを示すフローチャートである。
【図９】図９は、他の実施形態に係る画像について説明するための図である。
【図１０】図１０は、表示プログラムを実行するコンピュータの一例を示す図である。
【発明を実施するための形態】
【０００８】
以下に、本願に係る表示システム、表示制御装置、表示方法及び表示制御プログラムの実施形態を図面に基づいて詳細に説明する。なお、本発明は、以下に説明する実施形態により限定されるものではない。
【０００９】
［第１の実施形態の構成］
まず、図１を用いて、第１の実施形態に係る表示システムの構成について説明する。図１は、第１の実施形態に係る表示システムの構成の一例を示す図である。図１に示すように、表示システム１は、表示装置１０、表示制御装置２０及び入力装置３０を有する。
【００１０】
表示装置１０は、複数の表示面を備えている。また、表示装置１０に備えられた複数の表示面のそれぞれは、互いに異なる方向に向けられ、表示制御装置２０によって生成された複数の画像のいずれかを表示する。表示装置１０は、複数の表示面に異なる画像を表示させることにより、ホログラムを表示する。
【００１１】
本実施形態において、表示装置１０は、表示面を備えたパネルを各側面とする四角錐の表示部を備えている。図２は、第１の実施形態に係る表示装置について説明するための図である。図２の（ａ）は、表示装置１０の上面図である。また、図２の（ｂ）は、表示装置１０の側面図である。
【００１２】
図２の（ａ）に示すように、表示装置１０は、表示面１１１、１１２、１１３及び１１４を有する。また、表示装置１０を横から見た場合、いずれかの表示面が見える。図２の（ｂ）の例では、表示面１１１が見えている。また、表示装置１０の各表示面は、自ら発光し画像を表示するものであってもよいし、プロジェクタ等によって投影された画像を反射し表示するものであってもよい。
【００１３】
表示制御装置２０は、画像を生成し、生成した画像を表示装置１０に表示させる。例えば、表示制御装置２０はコンピュータである。また、表示制御装置２０は、表示装置１０とネットワークで接続されたものであってもよい。また、表示制御装置２０は、表示装置１０と一体化されていてもよい。また、表示制御装置２０は、入力装置３０と一体化されていてもよい。
【００１４】
入力装置３０は、ユーザによる入力を受け付ける。例えば、入力装置３０は、マウス、キーボード又はタッチパネルディスプレイ等である。また、入力装置３０は、ユーザの動きをキャプチャするモーションキャプチャ装置であってもよい。この場合、入力装置３０は、カメラ等でユーザの動きを記録し、当該記録した動きを所定の形式のデータに変換し表示制御装置２０に送信する。
【００１５】
ここで、表示制御装置２０の構成について説明する。図１に示すように、表示制御装置２０は、入出力部２１、記憶部２２及び制御部２３を有する。入出力部２１は、入力部及び出力部として機能する。
【００１６】
入出力部２１は、各装置との間でデータのやり取りを行う。また、入出力部２１は、有線又は無線のネットワークを介して各装置との間で通信を行うものであってもよい。例えば、入出力部２１は、表示装置１０に対し、画像のデータ及び制御信号等を送信する。また、例えば、入出力部２１は、入力装置３０からユーザの動きを示すデータの入力を受け付ける。
【００１７】
記憶部２２は、ＨＤＤ（Hard  Disk  Drive）、ＳＳＤ（Solid  State  Drive）、光ディスク等の記憶装置である。なお、記憶部２２は、ＲＡＭ（Random  Access  Memory）、フラッシュメモリ、ＮＶＳＲＡＭ（Non  Volatile  Static  Random  Access  Memory）等のデータを書き換え可能な半導体メモリであってもよい。記憶部２２は、表示制御装置２０で実行されるＯＳ（Operating  System）や各種プログラムを記憶する。さらに、記憶部２２は、プログラムの実行で用いられる各種情報を記憶する。また、記憶部２２は、ネットワーク情報２２１及び追加情報２２２を記憶する。
【００１８】
ネットワーク情報２２１は、ネットワークに含まれる複数のノードの位置、及びネットワークのトポロジ情報の一例である。図３を用いて、ネットワーク情報２２１について説明する。図３は、第１の実施形態に係るネットワーク情報のデータ構成の一例を示す図である。
【００１９】
図３に示すように、ネットワーク情報２２１は、ネットワークに接続された建物ごとの位置、階層、リンク先、障害発生リンク先を含む。このうち、階層、リンク先及び障害発生リンク先は、トポロジ情報の一例である。
【００２０】
ネットワーク情報２２１の項目「建物」は、ネットワークに接続された建物を識別するための情報である。また、ネットワーク情報２２１の項目「位置」は、建物の位置を緯度及び経度で示したものである。
【００２１】
また、ネットワーク情報２２１の項目「階層」は、ネットワークにおける論理的な階層を識別するための情報である。例えば、キャリアネットワークに接続された建物の階層を１とし、当該キャリアネットワークに下位のネットワークとして収容されたユーザネットワークに接続された建物の階層を２とすることができる。
【００２２】
また、ネットワーク情報２２１の項目「リンク先」は、接続された建物を示す情報である。また、ネットワーク情報２２１の項目「障害発生リンク先」は、障害が発生した建物を識別するための情報である。
【００２３】
例えば、図３には、ビルＡという建物が、（３６，１４０）という位置にあり、ビルＢ、Ｃ、Ｄ及びＥと接続され、ビルＣとの間の接続に障害が発生していることが示されている。
【００２４】
なお、本実施形態では、ネットワーク情報２２１を建物ごとの情報としているが、ネットワーク情報２２１は、建物ごとの情報に限られず、ネットワークの任意の構成要素ごとの情報とすることができる。例えば、ネットワーク情報２２１は、ネットワークを構成するネットワーク機器及び端末ごとの情報であってもよいし、ネットワークに接続された地域ごとの情報であってもよい。
【００２５】
追加情報２２２は、各建物に関する情報であって、ネットワーク情報２２１には含まれない情報である。図４を用いて、追加情報２２２について説明する。図４は、第１の実施形態に係る追加情報のデータ構成の一例を示す図である。
【００２６】
図４に示すように、追加情報２２２は、日時、建物、内容を含む。追加情報２２２の項目「日時」は、追加情報が発生した日時を示している。また、追加情報２２２の項目「建物」は、当該追加情報に対応する建物を識別するための情報である。また、追加情報２２２の項目「内容」は、追加情報の内容である。例えば、図４には、2018/1/31  18:24に、ビルＡという建物において、パケットの廃棄が発生したことが示されている。
【００２７】
制御部２３は、表示制御装置２０全体を制御する。制御部２３は、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路である。また、制御部２３は、各種の処理手順を規定したプログラムや制御データを格納するための内部メモリを有し、内部メモリを用いて各処理を実行する。また、制御部２３は、各種のプログラムが動作することにより各種の処理部として機能する。例えば、制御部２３は、配置部２３１、設定部２３２、生成部２３３、表示制御部２３４及び追加部２３５を有する。
【００２８】
配置部２３１は、ネットワークに含まれる複数のノードの位置、及びネットワークのトポロジ情報に基いて、複数のノードのそれぞれに対応するオブジェクトを仮想的な３次元空間に配置する。具体的には、配置部２３１は、ネットワーク情報２２１に基づいて、各建物に対応するオブジェクトの３次元空間における位置を示す座標を決定する。
【００２９】
ここで、図５を用いて、オブジェクトの配置について説明する。図５は、第１の実施形態に係る３次元空間へのオブジェクトの配置について説明するための図である。ここで、ビルＡ、Ｂ、Ｃ、Ｄ及びＥに対応するオブジェクトを、それぞれオブジェクト１０Ａ、１０Ｂ、１０Ｃ、１０Ｄ及び１０Ｅとする。また、図３に示すように、配置部２３１は、所定の地図上に、ｘ軸、ｙ軸、ｚ軸及び原点を仮定する。
【００３０】
まず、配置部２３１は、ネットワーク情報２２１の階層が２である建物に対応するオブジェクトを、レイヤＬ２上の所定の位置に配置する。また、配置部２３１は、ネットワーク情報２２１の階層が１である建物に対応するオブジェクトを、レイヤＬ１上の所定の位置に配置する。ここで、レイヤＬ１及びレイヤＬ２は、それぞれｚ＝ｈ１及びｚ＝０で表される平面である。つまり、レイヤＬ２は、現実の空間の地面に対応している。一方レイヤＬ１は、現実の空間の地面に平行な空中の面に対応している。
【００３１】
配置部２３１は、オブジェクト１０ＡをレイヤＬ１に配置し、オブジェクト１０Ｂ、１０Ｃ、１０Ｄ及び１０ＥをレイヤＬ２に配置する。具体的には、配置部２３１は、オブジェクト１０Ａのｚ座標をｈ１（ただし、ｈ１＞０）とし、オブジェクト１０Ｂ、１０Ｃ、１０Ｄ及び１０Ｅのｚ座標を０とする。また、配置部２３１は、各オブジェクトのｘ座標及びｙ座標を、対応する建物の緯度及び経度に基づいて決定することができる。
【００３２】
設定部２３２は、３次元空間に１つ以上の視点を設定する。なお、後述する生成部２３３は、設定部２３２によって設定された視点から３次元空間を見た画像を生成する。図６は、第１の実施形態に係る視点について説明するための図である。
【００３３】
図６に示すように、設定部２３２は、視点の高さを、オブジェクトのうちの少なくともいずれかの位置より高く設定し、視点の方向を、オブジェクトのうちの少なくともいずれかを見下ろす方向に設定することができる。具体的には、設定部２３２は、視点のｚ座標ｈを０より大きく、又はｈ１より大きく設定し、視点の仰角θ０度より大きく設定する。これにより、生成部２３３は、傾斜をつけて３次元空間を見下ろした画像を生成することができ、各オブジェクトの配置を容易に把握することができるようになる。
【００３４】
また、設定部２３２は、３次元空間における所定の点を、所定の直線を回転軸として所定の角度ずつ回転させていった点を視点の位置として設定する。例えば、設定部２３２は、第１の視点を設定し、第１の視点をｚ軸と平行な回転軸に沿って９０度だけ回転移動させた位置に第２の視点を設定し、第２の視点を回転軸に沿って９０度だけ回転移動させた位置に第３の視点を設定し、第３の視点を回転軸に沿って９０度だけ回転移動させた位置に第４の視点を設定することができる。これにより、生成部２３３は、３次元空間上のある点を複数の方向から見た画像を生成することができ、死角を解消することができる。
【００３５】
生成部２３３は、３次元空間に配置されたオブジェクトを、視点のそれぞれから投影した複数の画像であって、トポロジ情報が可視化された複数の画像を生成する。例えば、生成部２３３は、引用文献１に記載の手法を使って投影画像を生成することができる。また、生成部２３３は、Ｏｐｅｎ  ＧＬ（登録商標）等の既知の任意の手法を使って投影画像を生成してもよい。
【００３６】
また、生成部２３３は、ネットワークのトポロジ情報を、接続された建物に対応する各オブジェクト間を結ぶ線分によって表現することができる。また、生成部２３３は、障害が発生している建物間に対応するオブジェクト間の線分を太線とすることができる。
【００３７】
また、生成部２３３は、生成した画像がユーザにとって見やすいものとなるように、視野等の補正を行ってもよい。このとき、生成部２３３は、投影画像の補正を、引用文献１に記載された方法を使って行うことができる。
【００３８】
表示制御部２３４は、表示装置１０に備えられた複数の表示面のそれぞれに、生成部２３３によって生成された複数の画像のいずれかを表示させる。ここで、図７を用いて、表示装置１０に表示される画像について説明する。図７は、第１の実施形態に係る画像について説明するための図である。
【００３９】
図７に示すように、表示面１１１及び表示面１１４には画像が表示される。また、図示しない表示面１１２及び表示面１１３にも画像が表示される。例えば、設定部２３２が、前述の通り視点を９０度ずつ回転移動させながら設定した場合、表示装置１０の各表示面の方向と視点の方向とを対応させることができる。その場合、表示装置１０は、配置されたオブジェクトが実際に四角錐内部に存在しているかのような表示を行うことができる。
【００４０】
図７に示すように、表示面１１１は、向きがｙ軸に略平行な方向に設定された視点からの投影映像を表示している。また、太線は、当該オブジェクト間に対応する建物間のリンクに障害が発生していることを示している。
【００４１】
表示面１１１の画像からは、オブジェクト１０Ａがオブジェクト１０Ｃ又は１０Ｅのいずれと太線でつながれているのかを、ユーザが判断できないことが考えられる。同様に、表示面１１４の画像からは、オブジェクト１０Ａがオブジェクト１０Ｂ、１０Ｃ又は１０Ｄのいずれと太線でつながれているのかを、ユーザが判断できないことが考えられる。このような場合、表示面１１１の画像から得られた情報と、表示面１１４の画像から得られた情報との両方を確認することで、オブジェクト１０Ａとオブジェクト１０Ｃが太線でつながれていること、すなわちビルＡとビルＣとの間に障害が発生していることが明確になる。
【００４２】
追加部２３５は、生成部２３３によって生成された画像に、追加の情報を重畳させる。追加部２３５は、追加情報２２２を参照し、ビルＡに関する追加の情報を取得する。そして、生成部２３３は、ビルＡに対応したオブジェクト１０Ａが表示された所定の画像に、追加の情報を示すメッセージを重畳させる。その結果、図７に示すように、表示面１１１の画像には、追加の情報として、「パケット廃棄・・・」というメッセージが表示される。ここで、生成部２３３は、オブジェクト１０Ａが表示された全ての画像に追加の情報を表示させてもよいし、ユーザから要求があった画像にのみ追加の情報を表示させてもよい。
【００４３】
ここで、入出力部２１が、ユーザの動きを示すデータの入力を受け付けた場合、設定部２３２は、ユーザの動きを示すデータに基づいて視点を変更する。その場合、生成部２３３は、設定部２３２による視点の変更に応じて画像を生成する。
【００４４】
例えば、モーションキャプチャ装置として機能する入力装置３０は、ユーザが手を横方向に平行移動させる動作をキャプチャした場合、移動方向や距離を示すデータを表示制御装置２０に入力する。そして、設定部２３２は、視点の位置を、ユーザが手を動かした方向と同じ方向に移動させる。また、設定部２３２は、１つの視点の位置を変更した場合、他の視点を追随させるようにしてもよいし、他の視点は変更しないようにしてもよい。
【００４５】
［第１の実施形態の処理］
図８を用いて、表示システム１の処理について説明する。図８は、第１の実施形態に係る表示システムの処理の流れを示すフローチャートである。まず、図８に示すように、表示制御装置２０は、ネットワーク情報２２１を参照し、建物に対応するオブジェクトを３次元空間に配置する（ステップＳ１０１）。
【００４６】
次に、表示制御装置２０は、３次元空間に複数の視点を設定する（ステップＳ１０２）。例えば、表示制御装置２０は、ある点を回転軸に沿って９０度ずつ回転移動させていくことで４つの視点を設定することができる。
【００４７】
そして、表示制御装置２０は、設定した複数の視点のそれぞれからの投影画像を生成する（ステップＳ１０３）。さらに、表示制御装置２０は、生成した画像に追加情報を重畳させる（ステップＳ１０４）。さらに、表示制御装置２０は、各画像を、表示装置１０の各表示面に表示させる（ステップＳ１０５）。表示装置１０の表示面は互いに異なる方向に向けられており、表示装置１０は、ホログラムを表示することができる。
【００４８】
ここで、操作の入力があった場合（ステップＳ１０６、Ｙｅｓ）、表示制御装置２０はステップＳ１０２に戻り、視点を再設定する。その後、表示制御装置２０は画像を生成し、表示装置１０に表示させる。また、操作の入力がない場合（ステップＳ１０６、Ｎｏ）、表示制御装置２０は処理を終了する。
【００４９】
［第１の実施形態の効果］
表示システム１は、複数の表示面を備えた表示装置１０と、表示装置１０を制御する表示制御装置２０とを有する。表示制御装置２０の配置部２３１は、ネットワークに含まれる複数のノードの位置、及びネットワークのトポロジ情報に基いて、複数のノードのそれぞれに対応するオブジェクトを仮想的な３次元空間に配置する。また、表示制御装置２０の設定部２３２は、３次元空間に１つ以上の視点を設定する。また、表示制御装置２０の生成部２３３は、３次元空間に配置されたオブジェクトを、視点のそれぞれから投影した複数の画像であって、トポロジ情報が可視化された複数の画像を生成する。また、表示装置１０の複数の表示面のそれぞれは、互いに異なる方向に向けられ、生成部２３３によって生成された複数の画像のいずれかを表示する。また、表示制御部２３４は、表示装置１０に備えられた複数の表示面であって、互いに異なる方向に向けられた複数の表示面のそれぞれに、生成部２３３によって生成された複数の画像のいずれかを表示させる。このように、本実施形態では、立体的に表現されたネットワークの状況を複数の視点から見た画像を表示するため、ネットワークの状況を容易に把握することができる。
【００５０】
また、本実施形態の表示装置１０は、複数の異なる方向を向いた表示面を有する。このため、表示装置１０に表示された画像を複数のユーザで無理なく見ることができる。さらに、各ユーザが異なる視点からの画像を見ることができるため、複数のユーザで同時に様々な情報を収集し、互いに議論を行うことができる。
【００５１】
表示制御装置２０は、３次元空間における所定の点を、所定の直線を回転軸として所定の角度ずつ回転させていった点を視点の位置として設定する。これにより、表示装置１０は、配置されたオブジェクトが実際にその場所に存在しているかのような表示を行うことができるため、ユーザは、ネットワークの状況を直感的に把握することができる。
【００５２】
表示制御装置２０は、視点の高さを、オブジェクトのうちの少なくともいずれかの位置より高く設定し、視点の方向を、オブジェクトのうちの少なくともいずれかを見下ろす方向に設定する。これにより、ユーザは、ネットワークの状況を俯瞰的に把握することができる。
【００５３】
表示制御装置２０は、生成した画像に、追加の情報を重畳させる。これにより、ユーザは、ネットワークの状況の概要を把握すると同時に、詳細な情報を得ることができる。
【００５４】
表示制御装置２０は、ユーザの動きを示すデータの入力を受け付け、ユーザの動きを示すデータに基づいて、視点を変更し、視点の変更に応じて画像を生成する。ユーザは感覚的な操作を行うことができる。
【００５５】
［その他の実施形態］
図７の例では、表示面１１１及び１１４は、それぞれ異なる視点からの投影画像を表示している。一方、図１０の例では、表示面１１１及び１１４は、同一の視点からの投影画像を表示している。図１０は、他の実施形態に係る画像について説明するための図である。このように、本発明の実施形態では、複数の表示面が、同一の視点からの投影画像を表示するようにしてもよい。
【００５６】
つまり、設定部２３２は、複数の異なる視点を設定してもよいし、１つの視点を設定してもよい。また、表示装置１０に備えられた複数の表示面は、互いに異なる画像を表示してもよいし、同一の画像を表示してもよい。
【００５７】
さらに、図１０に示すように、複数の表示面が同一の画像を表示する場合、追加部２３５は、一方の画像に追加の情報を重畳させ、他方の画像に追加の情報を重畳させないようにしてもよい。これにより、追加の情報が重畳された画像を見ているユーザに追加の情報から詳細を把握させ、追加の情報が重畳されていない画像をみているユーザに全体の状況を把握させることができる。
【００５８】
［システム構成等］
また、図示した各装置の各構成要素は機能概念的なものであり、必ずしも物理的に図示のように構成されていることを要しない。すなわち、各装置の分散・統合の具体的形態は図示のものに限られず、その全部又は一部を、各種の負荷や使用状況等に応じて、任意の単位で機能的又は物理的に分散・統合して構成することができる。さらに、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現され得る。
【００５９】
また、本実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。この他、上記文書中や図面中で示した処理手順、制御手順、具体的名称、各種のデータやパラメータを含む情報については、特記する場合を除いて任意に変更することができる。
【００６０】
［プログラム］
一実施形態として、表示制御装置２０は、パッケージソフトウェアやオンラインソフトウェアとして上記の表示制御を実行する表示プログラムを所望のコンピュータにインストールさせることによって実装できる。例えば、上記の表示プログラムを情報処理装置に実行させることにより、情報処理装置を表示制御装置２０として機能させることができる。ここで言う情報処理装置には、デスクトップ型又はノート型のパーソナルコンピュータが含まれる。また、その他にも、情報処理装置にはスマートフォン、携帯電話機やＰＨＳ（Personal  Handyphone  System）等の移動体通信端末、さらには、ＰＤＡ（Personal  Digital  Assistant）等のスレート端末等がその範疇に含まれる。
【００６１】
また、表示制御装置２０は、ユーザが使用する端末装置をクライアントとし、当該クライアントに上記の表示制御に関するサービスを提供する表示サーバ装置として実装することもできる。例えば、表示サーバ装置は、ネットワークに関する情報を入力とし、複数の画像を出力とする表示サービスを提供するサーバ装置として実装される。この場合、表示サーバ装置は、Ｗｅｂサーバとして実装することとしてもよいし、アウトソーシングによって上記の表示制御に関するサービスを提供するクラウドとして実装することとしてもかまわない。
【００６２】
図１０は、表示プログラムを実行するコンピュータの一例を示す図である。コンピュータ１０００は、例えば、メモリ１０１０、ＣＰＵ１０２０を有する。また、コンピュータ１０００は、ハードディスクドライブインタフェース１０３０、ディスクドライブインタフェース１０４０、シリアルポートインタフェース１０５０、ビデオアダプタ１０６０、ネットワークインタフェース１０７０を有する。これらの各部は、バス１０８０によって接続される。
【００６３】
メモリ１０１０は、ＲＯＭ（Read  Only  Memory）１０１１及びＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。例えば磁気ディスクや光ディスク等の着脱可能な記憶媒体が、ディスクドライブ１１００に挿入される。シリアルポートインタフェース１０５０は、例えばマウス１１１０、キーボード１１２０に接続される。ビデオアダプタ１０６０は、例えばディスプレイ１１３０に接続される。
【００６４】
ハードディスクドライブ１０９０は、例えば、ＯＳ１０９１、アプリケーションプログラム１０９２、プログラムモジュール１０９３、プログラムデータ１０９４を記憶する。すなわち、表示制御装置２０の各処理を規定するプログラムは、コンピュータにより実行可能なコードが記述されたプログラムモジュール１０９３として実装される。プログラムモジュール１０９３は、例えばハードディスクドライブ１０９０に記憶される。例えば、表示制御装置２０における機能構成と同様の処理を実行するためのプログラムモジュール１０９３が、ハードディスクドライブ１０９０に記憶される。なお、ハードディスクドライブ１０９０は、ＳＳＤにより代替されてもよい。
【００６５】
また、上述した実施形態の処理で用いられる設定データは、プログラムデータ１０９４として、例えばメモリ１０１０やハードディスクドライブ１０９０に記憶される。そして、ＣＰＵ１０２０は、メモリ１０１０やハードディスクドライブ１０９０に記憶されたプログラムモジュール１０９３やプログラムデータ１０９４を必要に応じてＲＡＭ１０１２に読み出して、上述した実施形態の処理を実行する。
【００６６】
なお、プログラムモジュール１０９３やプログラムデータ１０９４は、ハードディスクドライブ１０９０に記憶される場合に限らず、例えば着脱可能な記憶媒体に記憶され、ディスクドライブ１１００等を介してＣＰＵ１０２０によって読み出されてもよい。あるいは、プログラムモジュール１０９３及びプログラムデータ１０９４は、ネットワーク（ＬＡＮ（Local  Area  Network）、ＷＡＮ（Wide  Area  Network）等）を介して接続された他のコンピュータに記憶されてもよい。そして、プログラムモジュール１０９３及びプログラムデータ１０９４は、他のコンピュータから、ネットワークインタフェース１０７０を介してＣＰＵ１０２０によって読み出されてもよい。
【符号の説明】
【００６７】
１  表示システム
１０  表示装置
２０  表示制御装置
３０  入力装置
２１  入出力部
２２  記憶部
２３  制御部
２２１  ネットワーク情報
２２２  追加情報
２３１  配置部
２３２  設定部
２３３  生成部
２３４  表示制御部
２３５  追加部
【図１】
2019144279.tif 000003
【図２】
2019144279.tif 000004
【図３】
2019144279.tif 000005
【図４】
2019144279.tif 000006
【図５】
2019144279.tif 000007
【図６】
2019144279.tif 000008
【図７】
2019144279.tif 000009
【図８】
2019144279.tif 000010
【図９】
2019144279.tif 000011
【図１０】
2019144279.tif 000012